(57)【要約】【課題】本発明は、駆動装置の性能に影響を与えない前提下で磁性体の使用量を削減することが可能な駆動装置のハウジング、駆動装置、カメラ装置及び電子機器を提供する。【解決手段】本発明による駆動装置のハウジングは、導磁材料により作られ、軸方向を有し、外形が多角形になっており、外周側壁及び外周側壁の前側に連結するハウジング頂壁を備え、ハウジング頂壁には、光を通すための開口部が形成されている。また、各々のコーナー部において少なくとも一つの階段部を有し、階段部は、軸方向に交差する方向に延伸した階段平壁及びその階段平壁から前側又は後側に延伸した階段立壁を有し、階段立壁の内周壁面及びそれに隣接する外周側壁の内周壁面により磁石取付け部が形成される。【選択図】図２
2020190725.tif 000002
【特許請求の範囲】
【請求項１】
導磁材料により作られ、軸方向を有し、外形が多角形になっており、外周側壁及び前記外周側壁の前側に連結するハウジング頂壁を備え、前記ハウジング頂壁には、光を通すための開口部が形成されている駆動装置のハウジングであって、
各々のコーナー部に少なくとも一つの階段部をさらに備え、
前記階段部は、
前記軸方向の交差方向に沿って延伸した階段平壁、及び
前記階段平壁から前側又は後側に延伸した階段立壁を備え、
前記階段立壁の内周壁面及びそれに隣接する前記外周側壁の内周壁面により磁石取付部が形成される
ことを特徴とする駆動装置のハウジング。
【請求項２】
前記ハウジングは、前記各々のコーナー部において第１階段部及び第２階段部を備え、
前記第１階段部は、前記ハウジング頂壁の外周側から後側に延伸した第１階段立壁、及び前記第１階段立壁の後側から前記軸方向の交差方向に沿って延伸した第１階段平壁を備え、
前記第２階段部は、前記第１階段平壁から後側に延伸した第２階段立壁、及び前記第２階段立壁の後側から前記軸方向の交差方向に沿って延伸した第２階段平壁を備えており、
前記第２階段立壁の内周壁面及びそれに隣接する前記外周側壁の内周壁面により磁石取付部が形成される
ことを特徴とする請求項１に記載の駆動装置のハウジング。
【請求項３】
前記ハウジングは、前記各々のコーナー部において第１階段部及び角エッジ部を備え、
前記第１階段部は、前記ハウジング頂壁の外周側から後側に延伸した第１階段立壁、及び前記第１階段立壁の後側から前記軸方向の交差方向に沿って延伸した第１階段平壁を備え、
前記角エッジ部は、前記第１階段平壁を頂壁とし、前記第１階段立壁の内周壁面及びそれに隣接する前記外周側壁の内周壁面により磁石取付部が形成される
ことを特徴とする請求項１に記載の駆動装置のハウジング。
【請求項４】
前記第２階段立壁は、前記ハウジングの後側に延伸される
ことを特徴とする請求項２に記載の駆動装置のハウジング。
【請求項５】
前記ハウジングは、前記各々のコーナー部において角エッジ部を備え、
前記角エッジ部は前記第２階段平壁を頂壁とする、
ことを特徴とする請求項２に記載の駆動装置のハウジング。
【請求項６】
前記ハウジングは、前記各々のコーナー部において内周側壁を更に備え、
前記内周側壁は、前記ハウジング頂壁の内周側から後側に延伸し、前記内周側壁と前記磁石取付部を形成する前記階段立壁は、前記軸方向に直交する方向において互いに対向する
ことを特徴とする請求項１乃至５のいずれか一項に記載の駆動装置のハウジング。
【請求項７】
請求項１乃至６のいずれか一項に記載の駆動装置のハウジングと、
前記磁石取付部に設けられる磁石と、
前記ハウジング内に設けられるレンズ支持体と、
前記レンズ支持体の前側と後側の少なくとも一つの側において前記レンズ支持体を支持する弾性片と、
前記レンズ支持体の外周側に設けられるコイルと、
前記ハウジングの後側においてそのハウジングを支持するベースと、を備え、
前記磁石は、前記磁石取付部における前記階段立壁の内周壁面及びそれに隣接する前記外周側壁の内周壁面にそれぞれ密着する側面を有する
ことを特徴とする駆動装置。
【請求項８】
前記磁石は、台形を呈し、磁石外周側壁、磁石内周側壁及び前記磁石外周側壁と前記磁石内周側壁を連結する二つの磁石斜め側壁を有し、
前記磁石外周側壁を前記台形の上底とし、前記磁石内周側壁を前記台形の下底とし、二つの前記磁石斜め側壁を前記台形の斜辺とし、
前記磁石外周側壁、二つの前記磁石斜め側壁は、前記磁石取付部における前記階段立壁の内周壁面及びそれに隣接する前記外周側壁の内周壁面にそれぞれ密着し、
前記磁石内周側壁は、前記ハウジングが囲む空洞の内部に向かって設けられる
ことを特徴とする請求項７に記載の駆動装置。
【請求項９】
前記ハウジングは、外形が矩形を呈する
ことを特徴とする請求項７に記載の駆動装置。
【請求項１０】
前記磁石の前記磁石内周側壁、及び前記ハウジング頂壁の内周側から後側に延伸して前記磁石内周側壁に対向する内周側壁は、それぞれ弧状面をなしている
ことを特徴とする請求項８に記載の駆動装置。
【請求項１１】
前記階段平壁の後側面は、前記磁石の前側の位置決め面として設けられる
ことを特徴とする請求項７に記載の駆動装置。
【請求項１２】
前記階段平壁に、前記レンズ支持体を支えるための前側弾性片が設けられる
ことを特徴とする請求項７に記載の駆動装置。
【請求項１３】
請求項７乃至１２のいずれか一項に記載の駆動装置を備えたことを特徴とするカメラ装置。
【請求項１４】
請求項１３に記載のカメラ装置を備えたことを特徴とする電子機器。
【発明の詳細な説明】
【技術分野】
【０００１】
本発明は、駆動装置のハウジング、駆動装置、カメラ装置及び電子機器に関する。
【背景技術】
【０００２】
電子機器におけるカメラ装置は、駆動装置に設けられたコイルに通電すると発生する磁場と、磁石が発生する磁場との相互作用によって、レンズを電子機器内で移動できるように駆動させて、合焦を実現している。
【０００３】
例えば、特許文献１には、略直方体状のハウジングを備えて、当該ハウジングの四つの角部に三角柱形状の磁石が設けられたカメラのレンズ駆動装置が記載されている。
【０００４】
また、図１には、従来における他のレンズ駆動装置のハウジング９が示され、ハウジング９は直方体形状を呈している。ハウジング９の四つの角部９１には、ハウジングの前面９０から下に凹んだ階段９２が設けられ、磁石はハウジング９内の角部９１にそれぞれ吸着されて、階段９２の底面９２０により位置決めが行われる。
【先行技術文献】
【特許文献】
【０００５】
【特許文献１】中国公開特許第ＣＮ１０１３１５４５６Ａ号公報
【発明の概要】
【発明が解決しようとする課題】
【０００６】
しかしながら、従来の駆動装置では、ハウジングの角部に設けられた磁石は、ハウジングの形状に合わせて三角柱形状に作られるので、占用スペースが大きい。それで、レンズ駆動装置の外形スペースの大きさを小さくするために磁石のサイズを小さくすると、減磁が生じやすい。
【０００７】
以上に鑑みて、本発明の目的は、駆動装置の性能に影響を与えないことを前提に、磁石の使用量を削減することができる駆動装置のハウジング、駆動装置、カメラ装置、及び電子機器を提供することである。
【課題を解決するための手段】
【０００８】
上記の目的を達成するために、本発明による駆動装置のハウジングは、導磁材料により作られ、軸方向を有し、外形が多角形になっており、外周側壁及び前記外周側壁の前側に連結するハウジング頂壁を備え、前記ハウジング頂壁には、光を通すための開口部が形成されている駆動装置のハウジングであって、前記ハウジングは各々のコーナー部に少なくとも一つの階段部をさらに備え、前記階段部は、前記軸方向の交差方向に沿って延伸した階段平壁、及び前記階段平壁から前側又は後側に延伸した階段立壁を備え、前記階段立壁の内周壁面及びそれに隣接する前記外周側壁の内周壁面により磁石取付部が形成される。
【０００９】
好ましくは、本発明の実施形態において、前記ハウジングは、前記各々のコーナー部において第１階段部及び第２階段部を備え、前記第１階段部は、前記ハウジング頂壁の外周側から後側に延伸した第１階段立壁、及び前記第１階段立壁の後側から前記軸方向の交差方向に沿って延伸した第１階段平壁を備え、前記第２階段部は、前記第１階段平壁から後側に延伸した第２階段立壁、及び前記第２階段立壁の後側から前記軸方向の交差方向に沿って延伸した第２階段平壁を備えており、前記第２階段立壁の内周壁面及びそれに隣接する前記外周側壁の内周壁面により磁石取付部が形成される。
【００１０】
好ましくは、本発明の実施形態において、前記ハウジングは、前記各々のコーナー部において第１階段部及び角エッジ部を備え、前記第１階段部は、前記ハウジング頂壁の外周側から後側に延伸した第１階段立壁、及び前記第１階段立壁の後側から前記軸方向の交差方向に沿って延伸した第１階段平壁を備え、前記角エッジ部は、前記第１階段平壁を頂壁とし、前記第１階段立壁の内周壁面及びそれに隣接する前記外周側壁の内周壁面により磁石取付部が形成される。
【００１１】
好ましくは、本発明の実施形態において、前記第２階段立壁は、前記ハウジングの後側に延伸されている。
【００１２】
好ましくは、本発明の実施形態において、前記ハウジングは、前記各々のコーナー部において角エッジ部を備え、前記角エッジ部は前記第２階段平壁を頂壁とする。
【００１３】
好ましくは、本発明の実施形態において、前記ハウジングは、前記各々のコーナー部において内周側壁を更に備え、前記内周側壁は、前記ハウジング頂壁の内周側から後側に延伸し、前記内周側壁と前記磁石取付部を形成する前記階段立壁は、前記軸方向に直交する方向において互いに対向する。
【００１４】
また、上記の目的を達成するために、本発明による駆動装置は、上述したハウジングと、前記磁石取付部に設けられる磁石と、前記ハウジング内に設けられるレンズ支持体と、前記レンズ支持体の前側と後側の少なくとも一つの側において前記レンズ支持体を支持する弾性片と、前記レンズ支持体の外周側に設けられるコイルと、前記ハウジングの後側においてそのハウジングを支持するベースと、を備え、前記磁石は、前記磁石取付部における前記階段立壁の内周壁面及びそれに隣接する前記外周側壁の内周壁面にそれぞれ密着する側面を有する。
【００１５】
好ましくは、本発明の実施形態において、前記磁石は、台形を呈し、磁石外周側壁、磁石内周側壁及び前記磁石外周側壁と前記磁石内周側壁を連結する二つの磁石斜め側壁を有し、前記磁石外周側壁を前記台形の上底とし、前記磁石内周側壁を前記台形の下底とし、二つの前記磁石斜め側壁を前記台形の斜辺とし、前記磁石外周側壁、二つの前記磁石斜め側壁は、前記磁石取付部における前記階段立壁の内周壁面及びそれに隣接する前記外周側壁の内周壁面にそれぞれ密着し、前記磁石内周側壁は、前記ハウジングが囲む空洞の内部に向かって設けられている。
【００１６】
好ましくは、本発明の実施形態において、前記ハウジングは、外形が矩形を呈する。
【００１７】
好ましくは、本発明の実施形態において、前記磁石の前記磁石内周側壁、及び前記ハウジング頂壁の内周側から後側に延伸して前記磁石内周側壁に対向する内周側壁は、それぞれ弧状面をなしている。
【００１８】
好ましくは、本発明の実施形態において、前記階段平壁の後側面は、前記磁石の前側の位置決め面として設けられている。
【００１９】
好ましくは、本発明の実施形態において、前記階段平壁において、前記レンズ支持体を支えるための前側弾性片が設けられている。
【００２０】
また、上記の目的を達成するために、本発明によるカメラ装置は、上述した駆動装置を備える。
【００２１】
さらに、上記の目的を達成するために、本発明による電子機器は、上述したカメラ装置を備える。
【発明の効果】
【００２２】
本発明によれば、駆動装置のハウジングのコーナー部において磁石とハウジングの接触面を増大することで磁場損失を減少し、導磁作用を増やすことができる。同じアンペル力を発生する場合、即ち、駆動装置の性能に影響を与えない状態において、従来の駆動装置に比べ、例えば磁石の厚さを減少するなど、磁石のサイズを減少することによって磁石の使用量の削減ができて、材料を節約してコストダウンし、コイル内の通電電流の強さを減少することができる。これにより、エネルギーが節約できて発熱を低減することができる。コイルへの通電電流が同じく、磁石の大きさが同じである条件下で、従来の駆動装置に比べ、本発明の駆動装置はより大きいアンペル力を発生することができ、これにより、コイルに対しより大きい推力を発生することができる。コイルによりレンズ支持体及びレンズを駆動して直線移動させるとき、より大重量のレンズを駆動することができ、ユーザーの高解像度レンズへの需要を満足させることができる。そして、第１階段部及び第２階段部を設置したので、ハウジングの角部スペースの大きさが更に減少できて、電子機器の小型化要求を満たすことができる。
【図面の簡単な説明】
【００２３】
本発明の上記の特徴及びその他の特徴、性質及び利点は、以下の図面及び実施例に基づく説明からより明らかになるであろう。
【図１】従来の駆動装置におけるハウジングの斜視図である。
【図２】本発明の一実施形態による駆動装置の分解模式図である。
【図３】本発明の一実施形態による駆動装置のハウジングの斜視図である。
【図４】本発明の一実施形態による駆動装置の上面図である。
【図５】図４におけるＡ−Ａ方向の断面図である。
【図６】ハウジングの他の実施形態の斜視図である。
【図７】ハウジングの更に他の実施形態の斜視図である。
【発明を実施するための形態】
【００２４】
以下には、上記主題の技術案を実施する複数の異なる実施形態又は実施例を開示している。なお、開示内容を簡略化するために、各構成要素及び配列の具体的な実施例を以下に説明しているが、これらは例に過ぎず、本発明の保護範囲について限定するものではないことは言うまでもない。例えば、明細書では後述する第１特徴が第２特徴の上方又は上面に形成され、第１及び第２特徴が直接関連する方式で形成された実施形態を含んでもよく、第１及び第２特徴の間に付加的特徴を形成する実施形態を含んで、第１及び第２特徴の間が直接関連しなくもよい。また、これらの開示内容では、異なる例において図面の符号及び／又は文字を繰り返す可能性がある。この繰り返しは、簡潔さと明瞭さのためであり、それ自体は議論される様々な実施形態及び／又は構造間の関係を表すものではない。さらに、第１構成要素が第２構成要素と関連して、又は組み合わせて説明される場合、この説明には、第１及び第２構成要素同士が直接関連し、又は組み合わされる実施形態が含まれ、１つ又は複数の他の介在要素の追加により第１及び第２構成要素同士が間接的に関連し、又は組み合わされることを含んでもよい。
【００２５】
なお、使用する場合、以下の説明で上、下、左、右、前、後、頂、底、正、反、時計回り及び反時計回りは便宜上使用されることであり、特定の固定方向を意味するものではないことに注意すべきである。実際、これらは対象の各部分間の相対的な位置及び／又は方向を反映するために使用される。
【００２６】
本実施形態の駆動装置はカメラ装置に設けられ、レンズをその光軸に沿って移動できるよう駆動して、合焦を行う。図２には一実施形態による駆動装置の分解図が示され、駆動装置は、ハウジング１と、カバーであるハウジング１を支持するベース２と、を備え、ハウジング１内には前側弾性片３、後側弾性片４、レンズ支持体５、磁石６及びコイル７がそれぞれ設けられている。図２に示す一点鎖線はレンズ８の光軸を示すものであり、レンズ８の中心を通り、駆動装置の軸及びハウジング１の軸に対応する。本実施形態において、レンズ８の光軸方向の被写体側を前側、その反対側を後側とする。
【００２７】
図３には駆動装置におけるハウジング１の斜視図が示され、図３に示すように、駆動装置のハウジング１は、外形が多角形を呈し、駆動装置の光軸方向に沿った軸方向を有する。本実施形態では四角形である。ハウジング１は、外周側壁１６及び外周側壁１６の前側に連結しているハウジング頂壁１７を有する。ハウジング頂壁１７には、カメラ装置の中を光が通過できるよう開口部１０が設けられている。
【００２８】
ここで、ハウジング１の各々のコーナー部１１には、ハウジング１の厚み方向に沿って下に凹んで、各々のコーナー部１１でそれぞれ階段状を呈する少なくとも一つの階段部が形成されている。階段部は、ハウジングの軸方向との交差方向に沿って延伸した階段平壁、及び階段平壁から前側又は後側に延伸した階段立壁を有し、階段立壁の内周壁面及びそれに隣接する外周側壁１６により磁石取付部が形成される。
【００２９】
図３に示すような実施形態において、ハウジング１は、各コーナー部１１において、ハウジング１の厚み方向に沿って下に複数回凹んで、複数の階段部を形成している。階段部は、第１階段部１２及び第２階段部１３を有し、第１階段部１２は、ハウジング頂壁１７から後側に延伸した第１階段立壁１２１、及び第１階段立壁１２１の後側からハウジング１の軸方向の交差方向に沿って延伸した第１階段平壁１２２を有する。第２階段部１３は、第１階段平壁１２２から後側に延伸した第２階段立壁１３１、及び第２階段立壁１３１の後側からハウジング１の軸方向の交差方向に沿って延伸した第２階段平壁１３２を有する。これによって、二つの階段状の第１階段部１２及び第２階段部１３が形成される。ここで、第１階段立壁１２１及び第２階段立壁１３１は前述した階段立壁であり、第１階段平壁１２２及び第２階段平壁１３２は前述した階段平壁である。第２階段立壁１３１の内周壁面及びそれに隣接する外周側壁１６の内周壁面により、磁石６を装着するための磁石取付部１３０が形成される。
【００３０】
図４は本実施形態による駆動装置の上面図であり、図５は図４におけるＡ−Ａ方向に沿う断面図である。図２〜図５に示すように、レンズ支持体５は、ハウジング１内に設けられ、レンズ８を支持するために使われる。前側弾性片３は、レンズ支持体５とハウジング１との間に設けられ、後側弾性片４は、レンズ支持体５とベース２との間に設けられ、前側弾性片３及び後側弾性片４は、ハウジング１内でレンズ支持体５を弾性的に支持するとともに、レンズ支持体５が駆動力の作用下で光軸方向（即ち、ハウジング１の軸方向）に沿って移動することを可能とする。ここで、図示と異なる実施形態において、前側弾性片３及び後側弾性片４は、レンズ支持体５の前側、後側の少なくとも一つの側に設けられても、レンズ支持体５を弾性的に支持する役割を果たせる。
【００３１】
コイル7は、レンズ支持体５の外周を取り囲むようにハウジング１の軸方向を巻回軸として巻回して設けられ、通電されるとレンズ支持体５の外周面に磁気回路を形成する。ハウジング１は、導磁材料により作られ、磁石６がハウジング１の内周側のコーナー部１１に吸着される。磁石６は、磁石取付部１３０における第２階段立壁１３１の内周壁面とそれに隣接する外周側壁１６の内周壁面にそれぞれ密着できる側面６０を有する。装着する際、磁石６の側面６０は、第２階段立壁１３１の内周壁面とそれに隣接する外周側壁１６の内周壁面にそれぞれ吸着され、磁石６とハウジング１との取付を完成する。なお、巻回軸を光軸と直交する方向に有する四つのコイル７をレンズ支持体５の外周に固定して、磁石６と対向させてもよい。
【００３２】
図１と、図３及び図５と、を比べて見ると、図１に示された従来の駆動装置のハウジング９において、磁石はハウジング９の角部側面９１０に吸着されることで取り付けられるが、図３及び図５に示すように、本実施形態において、磁石６は、磁石６の側面６０が第２階段立壁１３１の内周壁面とそれに隣接する外周側壁１６の内周壁面に接触して吸着される。磁石６の側面６０が磁場密集エリアであるため、磁石６の側面６０をハウジング１に直接接触させることで隙間の存在で発生する磁場損失を避けることができ、これにより、更に優れた導磁作用を実現することができる。コイル７に電流を流して磁気回路が形成されると、磁石６は、通電されたコイルにアンペル力を発生させて、コイル７を駆動して移動させる。即ち、レンズ支持体５及びレンズを移動させる。磁気回路において、磁束が多いほど、同じ電流から発生するアンペル力が大きく、それゆえ磁場損失を避けることはより多い磁束を得ることができることであり、それによってより大きいアンペル力を発生することができる。詳しくは以下の表１を参照されたい。
【００３３】
【表１】
2020190725.tif 000003
【００３４】
表１において、磁石サイズ変化量は図２に示す如く、磁石６は、台形の形状に形成されており、これは三角形形状のヘッド部分を切断した後の形状に相当し、切除された部分の辺長をＬ１とすると、Ｌ１は、三角形形状に対する台形形状の磁石サイズ変更の変化量に相当する。第２階段部は、直角部から三角形を切除した後の形状に相当し、Ｌ２は切除された三角形の斜辺の辺長である。
【００３５】
表１に示したデータから分かるように、ハウジングのコーナー部サイズの内側縮小変化量Ｌ２が１ｍｍであり、それに対応する磁石サイズ変化量Ｌ１も１ｍｍであって、コイル７が移動していない移動量が０ｍｍの場合、ハウジングのコーナー部サイズが内側に縮小された駆動装置の実施例では、発生したアンペル力は０．０１９７８８Ｎである。これに対し、ハウジングのコーナー部サイズが内側に縮小されていない従来の駆動装置の実施例では、発生したアンペル力は０．０１９１０６Ｎである。このように、ハウジングの上蓋のコーナー部サイズが内側縮小された駆動装置の実施例で発生するアンペル力は、従来の駆動装置が発生するアンペル力より大きい。対応して、コイル７が上側へそれぞれ０．０５〜０．２５ｍｍ移動するとき、ハウジングのコーナー部サイズが内側縮小された駆動装置の実施例で発生するアンペル力は、いずれも従来の駆動装置が発生するアンペル力より大きい。
【００３６】
【表２】
2020190725.tif 000004
【００３７】
表２において、以下の公式により、従来の駆動装置が発生するアンペル力に対し、ハウジングのコーナー部サイズが内側に縮小された駆動装置が発生するアンペル力による効率向上を算出する。
効率向上＝（ハウジングのコーナー部サイズが内側に縮小された駆動装置が発生するアンペル力−従来の駆動装置が発生するアンペル力）／従来の駆動装置が発生するアンペル力
表２に記載のデータから分かるように、ハウジングのコーナー部サイズの内側縮小変化量Ｌ２が１ｍｍで、コイルの上側への移動量が０〜０．２５ｍｍであるとき、効率向上は、２．７２％〜３．５７％であり、ハウジングのコーナー部サイズの内側縮小変化量Ｌ２が１．２ｍｍまで増え、コイルの上側への移動量が０〜０．２５ｍｍであるとき、効率向上は、４．４０％〜５．４７％であり、ハウジングのコーナー部サイズの内側縮小変化量Ｌ２が１．５ｍｍまで増え、コイルの上側への移動量が０〜０．２５ｍｍであるとき、効率向上は、１０．３７％〜１２．５０％である。このような変化傾向から分かるように、コイルの上側への移動量が同じ場合、ハウジングのコーナー部サイズの内側縮小変化量Ｌ２が大きくなればなるほど効率向上も大きくなる。
【００３８】
表１と表２に記載のデータの比較から分かるように、駆動装置のハウジング１のコーナー部１１に第１階段部１２及び第２階段部１３を設けることで、第２階段部１３での磁石６とハウジング１との接触面を増やし、磁場損失を減少させ、導磁作用を増強することができる。同等量のアンペル力を発生しようとする場合、即ち、駆動装置の性能に影響を与えない状態において、従来の駆動装置に比べ、例えば磁石６の厚みを薄くするなど、磁石６のサイズを小さくすることによって磁石６の使用量の削減ができて、材料及びコストを節約することができる。また、コイル７へ通電する電流量を減少させることもでき、エネルギーの節約及び発熱の低減を図ることができる。コイル７へ通電する電流が同じで、磁石６の大きさも同じである条件下で、従来の駆動装置に比べ、本実施形態による駆動装置が発生するアンペル力がより大きく、コイル７に対して更に大きな推力を発生する。コイル７がレンズ支持体５及びレンズ８を直線運動するように駆動するとき、より大重量のレンズを駆動することができ、高解像度レンズへの需要を満足させることができる。そして、第１階段部１２及び第２階段部１３を設けたため、ハウジング１の角部スペースを更に小さくすることができ、電子機器の小型化要求を満たすことができる。
【００３９】
本実施形態の一実施例は上記のようであるが、本実施形態の他の実施例において、駆動装置のハウジングは多くの点において上記実施例よりももっと多くの詳細を有することができ、且つ、これらの詳細の少なくとも一部は様々な変化を有してもよい。以下、幾つかの実施形態又は実施例に基づいて、この詳細及び幾つかの変化中の少なくとも一部について説明する。
【００４０】
詳しくは図３に示すように、ハウジング１は内周側壁１４を更に有し、内周側壁１４は、ハウジング頂壁１７の内周側に設けられた開口部１０の縁部から後側に延伸し、且つ、内周側壁１４は、各第２階段立壁１３１に対応して設けられ、ハウジング１の軸方向に直交する方向において、第２階段立壁１３１と互いに対向して設けられている。詳しくは、内周側壁１４は、各磁石６に対応してハウジング１の軸の外側に設けられ、磁石６の磁場によって、内周側壁１４の所在領域が有効磁場領域となる。図５のように、コイル７は磁石６と内周側壁１４との間に設けられ、内周側壁１４と磁石６におけるコイルに対向する一面との間で磁気回路が形成され、コイル７に電流を流したとき、磁気回路は通電されたコイルに対しアンペル力を発生して、コイル７を駆動させる。
【００４１】
本実施形態において、ハウジング１は、各々のコーナー部１１において角エッジ部１８を更に有し、角エッジ部１８は、第２階段平壁１３２からハウジングの後側に延伸してなり、第２階段平壁１３２を頂壁とする。ここで、角エッジ部１８の２本の直線辺の辺長は、ハウジングのコーナー部サイズの内側縮小変化量Ｌ２である。
【００４２】
図６はハウジング１の他の実施形態による構成図であって、図３に示す構成と比べ、ハウジング１のコーナー部１１ａにも角エッジ部１８ａ及び一つの第１階段部１２ａが形成され、第１階段部１２ａは、ハウジング頂壁１７ａの外周側から後側に延伸した第１階段立壁１２１ａ及び第１階段立壁１２１ａの後側からハウジング１の軸方向に交差する方向に延伸した第１階段平壁１２２ａを有し、角エッジ部１８ａは、第１階段平壁１２２ａを頂壁とし、第１階段立壁１２１ａの内周壁面とそれに隣接する外周側壁１６ａの内周壁面は共に、磁石６を装着する磁石取付部１３０ａを形成する点で異なる。このように配置しても、従来のハウジングにおいて磁石をコーナー部に設置する方式と同じく、磁石６とハウジング１との接触面を増大する効果が得られ、磁場損失を減少し、導磁作用を強くすることができる。図６に示す実施形態において、ハウジング１の内周側壁１４ａは、ハウジング１の軸方向に直交する方向において第１階段立壁１２１ａと互いに対向するように設けられている。
【００４３】
図７はハウジング１の更に他の実施形態による構成図であって、図３に示す実施形態の構成に比べ、ハウジング１のコーナー部１１ｂにおいて、第２階段立壁１３１ｂはハウジング１の後側まで直接延伸してもよく、これにより、図３に示す構成に比べ、角エッジ部１８を少なくすることができる。このとき、第２階段立壁１３１ｂの内周壁面とそれに隣接する外周側壁１６ｂの内周壁面により磁石取付部１３０ｂを形成し、第１階段平壁１２２ｂは装着するときに磁石６に対し位置決めを行うことができる。もちろん、このような配置によっても、磁石６とハウジング１との接触面を増大することができる。図７に示すような実施形態において、ハウジング１の内周側壁１４ｂは、ハウジング１の軸方向に直交する方向において第２階段立壁１３１ｂと互いに対向するように設けられている。
【００４４】
最初の実施形態に戻り、図２及び図３に示すように、磁石６は図示のように台形を呈し、磁石６の側面６０は、磁石外周側壁６０１、磁石内周側壁６０２及び磁石外周側壁６０１と磁石内周側壁６０２を連結する二つの磁石斜め側壁６０３を有する。ここで、磁石外周側壁６０１は台形の上底となり、磁石内周側壁６０２は台形の下底となり、二つの磁石斜め側壁６０３が台形の二つの斜辺となる。磁石外周側壁６０１及び二つの磁石斜め側壁６０３は、装着状態で、磁石取付部１３０における第２階段立壁１３１の内周壁面及びそれに隣接する二つの外周側壁１６の内周壁面にそれぞれ密着する。また、磁石内周側壁６０２はハウジング１に囲まれた空洞の内部に向かって設けられ、磁石内周側壁６０２と内周側壁１４との間に磁気回路が形成されるようにする。同じく、図６に示す実施形態において、磁石外周側壁６０１及び二つの磁石斜め側壁６０３は、装着状態で、磁石取付部１３０ａにおける第１階段立壁１２１ａの内周壁面及びそれに隣接する二つの外周側壁１６ａの内周壁面にそれぞれ密着する。図７に示す実施形態において、磁石外周側壁６０１及び二つの磁石斜め側壁６０３は、装着状態で、磁石取付部１３０ｂにおける第２階段立壁１３１ｂの内周壁面及びそれに隣接する二つの外周側壁１６ｂの内周壁面にそれぞれ密着する。
【００４５】
最初の実施形態において、ハウジング１は図３に示すように直方体に形成され、磁石６は、ハウジング１の四つのコーナー部１１にそれぞれ設けられている。図示構成と異なる構成を有する他の実施形態において、ハウジング１は他の適切な多角形体の形であってもよい。
【００４６】
また図３に示すように、磁石６の磁石内周側壁６０２及び内周側壁１４はそれぞれ弧状面を呈し、また、図２に示すように、コイル７も磁石６の磁石内周側壁６０２及び内周側壁１４に対向する面も弧状面を呈している。弧状面はコイル７に対向するので、弧状面を設けることにより磁石６と内周側壁１４がコイルに更に均一に対向し、磁石６とコイル７との距離を減少し、更に磁場損失を低減することができる。
【００４７】
更に、図３に示すように、磁石６の前側表面が第１階段部１２の第１階段平壁１２２の後側面により規制されるため、第１階段平壁１２２の後側面は、磁石６の前側の位置決め面として設けられ、第１階段平壁１２２は磁石６の前側に対し位置決めの役割を果たす。
【００４８】
図５に示すように、前側弾性片３は第１階段部１２の第１階段平壁１２２とレンズ支持体５との間に設けられており、第１階段平壁１２２は前側弾性片３を支持するように配置されている。
【００４９】
なお、駆動装置はカメラ装置に設けられており、レンズ８はカメラ装置のレンズである。カメラ装置の実施形態として、カメラ装置は、例えばノートパソコン、携帯電話などの電子機器に設けられる。
【００５０】
本発明は、上記のように好ましい実施例を開示しているが、本発明を限定するためのものではなく、当業者であれば、本発明の趣旨及び範囲から逸脱せず、変更や修正がなされ得る。従って、本発明の技術案の内容から逸脱しない限り、本発明の技術に基づいて以上の実施例に対して実質的に行う任意の修正、同等の変更及び修飾は、いずれも本発明の特許請求の範囲に含まれる。
【図１】
2020190725.tif 000005
【図２】
2020190725.tif 000006
【図３】
2020190725.tif 000007
【図４】
2020190725.tif 000008
【図５】
2020190725.tif 000009
【図６】
2020190725.tif 000010
【図７】
2020190725.tif 000011